(57)【要約】  フォームフィット性の軽量な衣料材料（１）を含み、衣料材料のポケット（３）には一連の伸張バネを相互に実質的に平行に且つ接近して封入した衣料品が提供される。伸張バネ（４）は内蔵された抵抗体として作用し、衣料品を着用して長時間運動すると、その間、ずっと大きな仕事量が要求される。
2007521419.tif 000002
【特許請求の範囲】
【請求項１】
衣料材料（１）からなる衣料品であって、着用者の一つ以上の体関節を覆って着用されるべき一つ以上の関節着用部分にして、該関節着用部分を貫いて伸延する一つ以上の細長弾性部片（４、６、７）をその上部あるいは内部に組み込んだ関節着用部分を含み、関節着用部分が、外部応力が付加されない状態では特定形状を有し、衣料品を着用しない状態では衣料材料（１）の重量に抗してその特定形状を実質的に維持する衣料品。
【請求項２】
細長弾性部片（４、６、７）が、衣料品が着用され且つ関節着用部分が曲げられると、長手方向に伸張することで運動抵抗力の大部分を提供するのではなく、むしろ曲がることで運動抵抗力の大部分を提供する請求項１の衣料品。
【請求項３】
衣料品を体関節を覆って着用させ且つ曲げた場合に衣料材料が細長弾性部片を平行状態に維持するよう、衣料品の内部に複数の細長弾性部片（４、６、７）を相互に平行に且つ同じ長さで配置し、かくして、細長弾性部片（４、６、７）を、体関節を曲げた場合にその平行関係がずれるように配置した場合と比較して、運動抵抗力が指数関数的に増大されるようにした請求項１あるいは２の衣料品。
【請求項４】
細長弾性部片（６）が、衣料材料（１）に接着した弾性材料のストリップの形態を有する請求項１〜３の何れかの衣料品。
【請求項５】
ストリップ形態の細長弾性部片（６）が、接着のための面積が比較的大きい平坦面を提供する半円形の断面を有する請求項４の衣料品。
【請求項６】
細長弾性部片が、衣料材料と一体形成した弾性材料のストリップの形態を有している請求項３の衣料品。
【請求項７】
細長弾性部片（４、７）が、衣料材料（１）のポケット（３）内に封入される請求項１〜３の何れかの衣料品。
【請求項８】
細長弾性部片（４）が螺旋状の伸張バネである請求項７の衣料品。
【請求項９】
細長弾性部片（７）が弾性の棒状体である請求項７の衣料品。
【請求項１０】
（ａ）全身スーツ形態を有し、関節着用部分が少なくとも着用者の肘、肩、腰、膝の各体関節を覆って着用され、あるいは、
（ｂ）ボディシャツ形態を有し、関節着用部分が着用者の肩関節を覆って着用され、あるいは、
（ｃ）ハイウェスト型のサイレングスショーツ形態を有し、関節着用部分が着用者の腰関節を覆って着用され、あるいは、
（ｄ）スリーブ形態を有し、関節着用部分が着用者の一方の肘関節を覆って着用され、あるいは、
（ｅ）レッギング形態を有し、関節着用部分が着用者の膝関節を覆って着用され、あるいは、
（ｆ）グローブ形態を有し、関節着用部分が着用者の手首、指、親指の各関節部分を覆って着用され、あるいは、
（ｇ）ストッキング形態を有し、関節着用部分が着用者の膝関節を覆って着用される請求項１〜９の何れかの衣料品。
【請求項１１】
衣料材料（１）が、軽量で、可撓性及び伸長性を有し、且つフォームフィット性を有する請求項１〜１０の何れかの衣料品。
【請求項１２】
衣料材料（１）からなる衣料品であって、
衣料材料（１）が、着用者の一つ以上の体関節を覆って着用されるべき一つ以上の関節着用部分にして、該関節着用部分を貫いて伸延する一つ以上の細長弾性部片（４、６、７）をその上部あるいは内部を組み込んだ関節着用部分を含み、細長弾性部片（４、６、７）が、衣料品が着用され且つ関節着用部分が曲げられると、長手方向に伸張することで運動抵抗力の大部分を提供するのではなく、むしろ曲がることで運動抵抗力の大部分を提供する衣料品。
【請求項１３】
複数の細長弾性部片（４、６、７）にして、相互に同じ長さで且つ平行状態で衣料品内に配置された細長弾性部片（４、６、７）を含み、衣料品が体関節を覆って受けられて各体関節が曲げられると、衣料材料（１）が細長弾性部片（４、６、７）の平行位置を維持するようになっている請求項１２の衣料品。
【請求項１４】
細長弾性部片（６）が、衣料材料（１）に接着した弾性材料のストリップ形態を有している請求項１２あるいは１３の衣料品。
【請求項１５】
ストリップ形態の細長弾性部片（６）が、接着のための面積が比較的大きい平坦面を提供する半円形断面を有する請求項１４の衣料品。
【請求項１６】
ストリップ形態の細長弾性部片（６）が、衣料材料（１）に一体形成した弾性材料のストリップ形態を有している請求項１３の衣料品。
【請求項１７】
細長弾性部片（４、７）が、衣料材料（１）のポケット（３）内に封入される請求項１２あるいは１３の衣料品。
【請求項１８】
細長弾性部片（４）が、螺旋状の伸張バネである請求項１７の衣料品。
【請求項１９】
細長弾性部片（７）が弾性の棒状体である請求項１７の衣料品。
【請求項２０】
（ａ）全身スーツ形態を有し、関節着用部分が少なくとも着用者の肘、肩、腰、膝の各体関節を覆って着用され、あるいは、
（ｂ）ボディシャツ形態を有し、関節着用部分が着用者の肩関節を覆って着用され、あるいは、
（ｃ）ハイウェスト型のサイレングスショーツ形態を有し、関節着用部分が着用者の腰関節を覆って着用され、あるいは、
（ｄ）スリーブ形態を有し、関節着用部分が着用者の一方の肘関節を覆って着用され、あるいは、
（ｅ）レッギング形態を有し、関節着用部分が着用者の膝関節を覆って着用され、あるいは、
（ｆ）グローブ形態を有し、関節着用部分が着用者の手首、指、親指の各関節部分を覆って着用され、あるいは、
（ｇ）ストッキング形態を有し、関節着用部分が着用者の膝関節を覆って着用される請求項１２〜１９の何れかの衣料品。
【請求項２１】
衣料材料（１）が、軽量で、可撓性及び伸長性を有し、且つフォームフィット性を有する請求項１２〜２０の何れかの衣料品。
【請求項２２】
体関節を覆って着用した衣料材料（１）の一部分を通して伸延させた一つの細長弾性部片（４、６、７）の曲げ抵抗力に抗して体関節を曲げることにより、運動抵抗力の大部分を提供させるための方法。
【請求項２３】
体関節を覆って着用した衣料材料（１）の一部分を通して伸延させた複数の細長弾性部片（４、６、７）の曲げ抵抗力に抗して体関節を曲げることで、運動抵抗力の大部分を曲げ抵抗力により提供させること、体関節を曲げる間、細長弾性部片を実質的に相互に平行状態に維持させること、を含む請求項２２の方法。
【発明の詳細な説明】
【技術分野】
【０００１】
本発明は、着用者の少なくとも一つの関節に曲げ抵抗力、即ちレジスタンスを生じさせる衣料品に関する。
【背景技術】
【０００２】
身体の自然な動作は、関節部分で終端する筋肉を自然に運動させる。筋肉の運動量はそうした運動に対する抵抗力の大きさに依存する。
米国特許第４，０６５，８１４号、同第４，９１０，８０２号、同第５，１０９，５４６号、同第５，１８６，７０１号には、その唯一あるいは一つの実施例として、人間の関節部分を覆って着用される関節着用部分を含み、この部分に、細長弾性部片を伸延させて組み込んだ衣料材料からなる衣料品が開示される。そうした実施例の全てにおいて、関節位置で終端する筋肉の運動に対する主たる抵抗力は、細長弾性部片の張力である。前記米国特許第４，０６５８１４号及び同第４，９１０，８０２号、そして同第５，１０９，５４６号の実施例では各細長弾性部片は弾性バンドであり、同第５，１８６，７０１号の実施例では弾性コードである。
【０００３】
【特許文献１】米国特許第４，０６５，８１４号
【特許文献２】米国特許第４，９１０，８０２号
【特許文献３】米国特許第５，１０９，５４６号
【特許文献４】米国特許第５，１８６，７０１号
【発明の開示】
【発明が解決しようとする課題】
【０００４】
着用者の少なくとも一つの関節に曲げ抵抗力を生じさせる衣料品を提供することである。
【課題を解決するための手段】
【０００５】
本発明の一様相に従えば、衣料材料からなる衣料品であって、衣料材料が、着用者の関節を覆って着用されるべき関節着用部分にして、この関節着用部分を貫いて伸延する細長弾性部片をその上部あるいは内部に組み込んだ関節着用部分を含み、細長弾性部片が、外部応力が付加されない状態では特定形状を有し、衣料品を着用しない状態では衣料材料の重量に抗してその特定形状を実質的に維持する衣料品が提供される。
【０００６】
本発明の他の様相に従えば、衣料材料からなる衣料品であって、衣料材料が、着用者の関節を覆って着用されるべき関節着用部分にして、この関節着用部分を貫いて伸延する細長弾性部片をその上部あるいは内部に組み込んだ関節着用部分を含み、細長弾性部片が、衣料品が着用され且つ関節着用部分が曲げられると、長手方向に伸張することで運動抵抗力の大部分を提供するのではなく、むしろ曲がることで運動抵抗力の大部分を提供する衣料品が提供される。
【０００７】
本発明の更に他の様相に従えば、体関節を覆って着用した衣料材料の一部分を通して伸延させた細長弾性部片の曲げ抵抗力に抗して体関節を曲げることで、運動抵抗力の大部分を曲げ抵抗力により提供させるための方法が提供される。
本発明によれば、細長弾性部片を端部位置で係止する必要が回避され、かくして衣料品は簡素化され且つ着心地がずっとよくなる。
【０００８】
細長弾性部片は、関節の曲がりに有意に抵抗する内臓された抵抗装置を構成し、釈放されると原形に素早く復帰する復元性を有している。
細長弾性部片は、例えばゴムあるいはプラスチックのような弾性材料あるいは金属のような基材から作製され得、螺旋状の伸張バネ形態あるいはストリップ形態のものであり得る。
【０００９】
一つ以上の体関節に対し、細長弾性部片を一つ用い得、あるいは複数の細長弾性部片を使用して動作に対する高い抵抗性を創出させ、それにより運動抵抗力を増大させることができる。
衣料品を体関節を覆って着用させ且つ曲げた場合に衣料材料が細長弾性部片を平行状態に維持するよう、衣料品の内部に同じ長さの複数の細長弾性部片を相互に平行に配置し、かくして、細長弾性部片を、体関節を曲げた場合にその平行関係がずれるように配置した場合と比較して、運動抵抗力を指数関数的に増大させることが特に有益である。
【００１０】
好ましい実施例では衣料品は、相互に実質的に平行なポケットに相互に接近する状態で封入した一連の伸張バネを装着した、ぴったりとフィットするフォームフィット性の、軽量な衣料材料を含む。従って各伸張バネは衣料品に内蔵された抵抗体として作用し、かくしてこの衣料品を着用して長時間物理的な運動を行うと、その間、相当の仕事量が要求されることになる。
【発明を実施するための最良の形態】
【００１１】
図１を参照するに、全身スーツ形態の衣料品が例示され、首から手足の殆どに掛けて身体を覆っている。衣料品は、軽量で、可撓性で且つ伸縮性を有し、それにより、身体の比較的自由な運動と、筋肉の伸縮を可能とする、例えば“ＬＹＣＲＡ（商標名）”である衣料材料１を含む。ジッパー２が、身体への衣料品の着用を容易化する。図３に示すような螺旋形の伸張バネ４が細長のポケット３内に固定状態で封入される。各ポケット３はネジ５によって図２に示されるように衣料材料１に固定される。伸張バネ４は金属あるいはプラスチック製のものであり得、各ポケットは、図１に示すように肘、肩、腰、膝の各関節部分を覆って着用される部分を貫いて伸延される。衣料材料１の、体関節を覆って着用される各部分には、複数の、好ましくは幾つかの狭幅の伸張バネ４が相互に平行状態で伸延され、各伸張バネはそれ自身の幅のオーダーでの量において相互に離間される。前記各部分での伸張バネ群は、適宜の関節を覆って着用され、その関節が曲がると伸張バネも曲がる。しかし、伸張バネは関節を横断する一つの曲線に沿って配置されることから、装着者が各伸張バネを相互に異なる軸線を中心として曲げると、各伸張バネが関節にずっと大きな曲げ抵抗力を提供し、かくして、着用者が一つの共通軸線のみを中心として一群の伸張バネの全部を曲げる必要のある場合と比較して、ずっと効果的な運動が行える。
【００１２】
図４から図９には本発明の別態様の実施例が示され、主に、肩関節（図４）、腰関節（図５）、肘関節（図６）、膝関節（図７）、手首及び指、及び親指の各関節（図８）、足関節（図９）の各位置で終端する筋肉の運動のために意図されている点においてのみ、図１に示す実施例と異なっている。
【００１３】
図１１に示す細長弾性部片６は、衣料材料１に接着した弾性材料のストリップ形態を有している。ストリップ形態の細長弾性部片６は、接着のための面積が比較的大きい平坦面を提供する半円形断面を有する。あるいは各細長弾性部片６のストリップは、衣料材料１と一体化させ得る。
図１２及び図１３に示す細長弾性部片７は、弾性の棒状体である点を除き、図４に示すそれと類似のものである。
図面を参照して説明した衣料品は、着用者の身体部分に対する支持を提供する必要がない点において有益性があり、また、細長弾性部片によって覆われる体関節の動作を有意に束縛することがない。
【図面の簡単な説明】
【００１４】
【図１】人間が着用する全身スーツ形態の衣料品の斜視図である。
【図２】図１を線ＩＩ−ＩＩで切断した断面図である。
【図３】衣料品に含まれる細長弾性部片の正面図である。
【図４】ボディースーツ形態の衣料品を後方から見た斜視図である。
【図５】ハイウェストのサイレングスショーツ形態の衣料品の斜視図である。
【図６】スリーブ形態の衣料品の斜視図である。
【図７】レッギング形態の衣料品の斜視図である。
【図８】グローブ形態の衣料品の斜視図である。
【図９】ストッキング形態の衣料品の斜視図である。
【図１０】図２の改変例の断面図である。
【図１１】図１０の改変例の細長弾性部片の斜視図である。
【図１２】図２の更に他の改変例の断面図である。
【図１３】図１０の更に他の改変例の細長弾性部片の斜視図である。
【符号の説明】
【００１５】
１  衣料材料
２  ジッパー
３  ポケット
４  伸張バネ
５  ネジ
６、７  細長弾性部片
【図１】
2007521419.tif 000003
【図２】
2007521419.tif 000004
【図３】
2007521419.tif 000005
【図４】
2007521419.tif 000006
【図５】
2007521419.tif 000007
【図６】
2007521419.tif 000008
【図７】
2007521419.tif 000009
【図８】
2007521419.tif 000010
【図９】
2007521419.tif 000011
【図１０】
2007521419.tif 000012
【図１１】
2007521419.tif 000013
【図１２】
2007521419.tif 000014
【図１３】
2007521419.tif 000015
【国際調査報告】
2007521419.tif 000016
2007521419.tif 000017
2007521419.tif 000018